(57)【特許請求の範囲】
【請求項１】
プラントの監視対象設備を監視制御するために監視画面を表示するプラント監視制御装置であって、
監視対象設備を監視するための第一の監視画面の内、マウスで選択した範囲をウインドウに形成する手段、
及び上記形成されたウインドウを、上記第一の監視画面とは別の設備を監視するための第二の監視画面上に画面間移動させて表示する手段を備え、
上記形成されたウインドウ内に状態値がある場合には、上記状態値はリアルタイムで表示されることを特徴とするプラント監視制御装置。
【請求項２】
プラントの監視対象設備を監視制御するために監視画面を表示するプラント監視制御装置であって、
監視対象設備を監視するための第一の監視画面の内、マウスで選択した範囲をウインドウに形成する手段、
上記形成されたウインドウを第二の監視画面上に表示する手段、
及び上記第二の監視画面上の上記ウインドウを登録すると共に、他のプラント監視制御装置で登録されたウインドウを呼び出す手段を備え、
上記形成されたウインドウ内に状態値がある場合には、上記状態値はリアルタイムで表示されることを特徴とするプラント監視制御装置。
【請求項３】
上記第二の監視画面上の上記ウインドウにタイトルを付ける手段を備えたことを特徴とする請求項１または請求項２記載のプラント監視制御装置。
【請求項４】
上記第二の監視画面上の上記ウインドウをマウスのドラッグにより移動させる手段を備えたことを特徴とする請求項１〜請求項３のいずれか一項記載のプラント監視制御装置。
【請求項５】
上記第二の監視画面上の上記ウインドウのサイズを変更する手段を備えたことを特徴とする請求項１〜請求項４のいずれか一項記載のプラント監視制御装置。
【請求項６】
上記第二の監視画面上の上記ウインドウの表示位置を固定する手段を備えたことを特徴とする請求項１〜請求項３のいずれか一項記載のプラント監視制御装置。
【請求項７】
上記ウインドウが表示された第二の監視画面から、上記第一の監視画面に上記ウインドウを移動する手段を備えたことを特徴とする請求項１〜請求項６のいずれか一項記載のプラント監視制御装置。
【請求項８】
上記第二の監視画面上の上記ウインドウを薄消しにする手段を備えたことを特徴とする請求項１〜請求項６のいずれか一項記載のプラント監視制御装置。
【請求項９】
上記第二の監視画面上の上記ウインドウをタイトルのみの表示とする手段を備えたことを特徴とする請求項３記載のプラント監視制御装置。
【請求項１０】
上記第二の監視画面上の上記ウインドウの表示または非表示を切替えるためのボタンを表示させる手段を備えたことを特徴とする請求項１〜請求項６のいずれか一項記載のプラント監視制御装置。
【請求項１１】
上記第二の監視画面上の上記ウインドウを削除する手段を備えたことを特徴とする請求項１〜請求項６のいずれか一項記載のプラント監視制御装置。
【請求項１２】
上記第二の監視画面上の上記ウインドウを登録すると共に、上記登録したウインドウを呼び出す手段を備えたことを特徴とする請求項１〜請求項６のいずれか一項記載のプラント監視制御装置。
【請求項１３】
スクロールバー付きの上記第二の監視画面上で、スクロール操作を行った場合に、上記ウインドウをスクロールと共に移動させる手段を備えたことを特徴とする請求項１〜請求項９のいずれか一項記載のプラント監視制御装置。
【請求項１４】
スクロールバー付きの上記第二の監視画面上で、スクロール操作を行った場合に、上記ウインドウをスクロールと共に移動させないようにする手段を備えたことを特徴とする請求項１〜請求項９のいずれか一項記載のプラント監視制御装置。
【発明の詳細な説明】
【技術分野】
【０００１】
この発明は、プラントの監視対象設備を監視制御するために監視画面を表示するプラント監視制御装置に関するものである。
【背景技術】
【０００２】
従来のプラント監視制御装置において、監視対象設備の画面を表示中に、別画面に表示されている関連設備の状態を同時に監視するとき、画面を設計する段階で同一画面上に登録されていなければ、設備の状態を同時に監視することができなかった。
そのため、あらかじめ、登録していない関連設備の状態を監視したいときは、その都度、別画面の展開操作が必要であった。
また、特許文献１には、プラント異常発生時にカメラより取得した画像データとプラントデータを融合して系統図表示画面に表示するものが記載されている。
【先行技術文献】
【特許文献】
【０００３】
【特許文献１】特開２００２−１３２３３６号公報（第９〜１１、２２頁、図１）
【発明の概要】
【発明が解決しようとする課題】
【０００４】
従来のプラント監視制御装置は、以上のように構成されており、設計段階で監視対象設備の画面に関連設備の画面が登録されていない場合、別画面を交互に監視するなどといったムダ作業が発生していた。
また、特許文献１のものでは、プラント異常発生時にカメラより取得した画像データとプラントデータを融合して系統図表示画面に表示するようになっているものの、設計段階で監視対象設備の画面に関連設備の画面が登録されていない場合にも、関連設備の画面を簡単に参照できるようにはなっていなかった。
【０００５】
この発明は、上述のような課題を解決するためになされたものであり、設計段階で監視対象設備の画面に関連設備の画面が登録されていない場合でも、別画面の展開操作をすることなく、関連設備の画面を監視することができるプラント監視制御装置を得ることを目的にする。
【課題を解決するための手段】
【０００６】
この発明に係わるプラント監視制御装置においては、プラントの監視対象設備を監視制御するために監視画面を表示するプラント監視制御装置であって、監視対象設備を監視するための第一の監視画面の内、マウスで選択した範囲をウインドウに形成する手段、及び形成されたウインドウを、第一の監視画面とは別の設備を監視するための第二の監視画面上に画面間移動させて表示する手段を備え、形成されたウインドウ内に状態値がある場合には、状態値はリアルタイムで表示されるものである。
【発明の効果】
【０００７】
この発明によれば、プラントの監視対象設備を監視制御するために監視画面を表示するプラント監視制御装置であって、監視対象設備を監視するための第一の監視画面の内、マウスで選択した範囲をウインドウに形成する手段、及び形成されたウインドウを、第一の監視画面とは別の設備を監視するための第二の監視画面上に画面間移動させて表示する手段を備え、形成されたウインドウ内に状態値がある場合には、状態値はリアルタイムで表示されるので、第一の監視画面上で選択した範囲からウインドウを形成でき、このウインドウを関連する第二の監視画面上に表示して、関連する第二の監視画面上で、ウインドウを監視することが可能となる。
【図面の簡単な説明】
【０００８】
【図１】この発明の実施の形態１によるプラント監視制御装置を示すシステム構成図である。
【図２】この発明の実施の形態１によるプラント監視制御装置を示す詳細構成図である。
【図３】この発明の実施の形態１によるプラント監視制御装置のグラフィック画面のウインドウ化機能を示す図である。
【図４】この発明の実施の形態１によるプラント監視制御装置のグラフィック画面のウインドウ化機能の処理を示すフローチャートである。
【図５】この発明の実施の形態２によるプラント監視制御装置のウインドウ化した画面を別画面に表示する機能の手順１を示す図である。
【図６】この発明の実施の形態２によるプラント監視制御装置のウインドウ化した画面を別画面に表示する機能の手順２を示す図である。
【図７】この発明の実施の形態２によるプラント監視制御装置のウインドウ化した画面を別画面に表示する処理を示すフローチャートである。
【０００９】
【図８】この発明の実施の形態３によるプラント監視制御装置のウインドウタイトルの設定を示す図である。
【図９】この発明の実態の形態３によるプラント監視制御装置のウインドウタイトル設定の処理を示すフローチャートである。
【図１０】この発明の実施の形態３によるプラント監視制御装置のウインドウの移動を示す図である。
【図１１】この発明の実態の形態３によるプラント監視制御装置のウインドウの移動の処理を示すフローチャートである。
【図１２】この発明の実施の形態３によるプラント監視制御装置のウインドウサイズの変更を示す図である。
【図１３】この発明の実態の形態３によるプラント監視制御装置のウインドウサイズの変更処理を示すフローチャートである。
【図１４】この発明の実施の形態３によるプラント監視制御装置のウインドウの位置固定を示す図である。
【図１５】この発明の実態の形態３によるプラント監視制御装置のウインドウの位置固定処理を示すフローチャートである。
【図１６】この発明の実施の形態４によるプラント監視制御装置のウインドウの取得元画面への移動機能を示す図である。
【図１７】この発明の実態の形態４によるプラント監視制御装置のウインドウの取得元画面への移動処理を示すフローチャートである。
【００１０】
【図１８】この発明の実施の形態５によるプラント監視制御装置のウインドウの薄消し機能の手順１を示す図である。
【図１９】この発明の実施の形態５によるプラント監視制御装置のウインドウの薄消し機能の手順２を示す図である。
【図２０】この発明の実態の形態５によるプラント監視制御装置のウインドウの薄消し処理を示すフローチャートである。
【図２１】この発明の実施の形態６によるプラント監視制御装置のウインドウタイトルのみ表示する機能の手順１を示す図である。
【図２２】この発明の実施の形態６によるプラント監視制御装置のウインドウタイトルのみ表示する機能の手順２を示す図である。
【図２３】この発明の実態の形態６によるプラント監視制御装置のウインドウタイトルのみ表示する処理を示すフローチャートである。
【図２４】この発明の実施の形態７によるプラント監視制御装置のウインドウ表示非表示ボタンの設置機能の手順１を示す図である。
【図２５】この発明の実施の形態７によるプラント監視制御装置のウインドウ表示非表示ボタンの設置機能の手順２を示す図である。
【図２６】この発明の実態の形態７によるプラント監視制御装置のウインドウ表示非表示ボタンの設置処理を示すフローチャートである。
【００１１】
【図２７】この発明の実施の形態８によるプラント監視制御装置のウインドウの削除機能を示す図である。
【図２８】この発明の実態の形態８によるプラント監視制御装置のウインドウの削除処理を示すフローチャートである。
【図２９】この発明の実施の形態９によるプラント監視制御装置のウインドウ位置情報の登録と呼出し機能を示す図である。
【図３０】この発明の実態の形態９によるプラント監視制御装置のウインドウ位置情報の登録と呼出し処理を示すフローチャートである。
【図３１】この発明の実施の形態１１によるプラント監視制御装置のスクロール操作と共にウインドウを移動させる機能の手順１を示す図である。
【図３２】この発明の実施の形態１１によるプラント監視制御装置のスクロール操作と共にウインドウを移動させる機能の手順２を示す図である。
【図３３】この発明の実態の形態１１によるプラント監視制御装置のスクロール操作と共にウインドウを移動させる処理を示すフローチャートである。
【００１２】
【図３４】この発明の実施の形態１２によるプラント監視制御装置のスクロール操作と共にウインドウを移動させない機能の手順１を示す図である。
【図３５】この発明の実施の形態１２によるプラント監視制御装置のスクロール操作と共にウインドウを移動させない機能の手順２を示す図である。
【図３６】この発明の実態の形態１２によるプラント監視制御装置のスクロール操作と共にウインドウを移動させない処理を示すフローチャートである。
【発明を実施するための形態】
【００１３】
実施の形態１．
以下、この発明の実施の形態１を図に基づいて説明する。
図１は、この発明の実施の形態１によるプラント監視制御装置を示すシステム構成図である。
図１において、プラント監視システムは、次のように構成されている。
被監視制御機器であるプラント機器は、モータ、ポンプ、弁、計装機器などである。画面１は、プラント機器の状態を表示する。プラント監視制御装置２は、プラント機器の状態を監視及び制御する。プラント情報処理装置１００は、このプラント機器のデータを収集し、プラント監視制御装置２に送信すると共に、プラント監視制御装置２からの制御指令に基づいて、プラント機器を制御する。プラント制御バス３は、プラント情報処理装置１００とプラント監視制御装置２との双方向で情報及び制御指令の伝達を実現する。
【００１４】
図２は、この発明の実施の形態１によるプラント監視制御装置を示す詳細構成図である。
図２において、１〜３、１００は図１におけるものと同一のものである。プラント監視制御装置２は、画面１によるプラント状態の表示を制御する表示制御部２ａと、プラント機器にて計測したデータの処理や表示制御部２ａからの指令を処理するデータ処理部２ｂと、プラント機器から収集したデータを格納するデータ格納部２ｃとを有している。なお、データ格納部２ｃは記憶装置に形成される。
【００１５】
図３は、この発明の実施の形態１によるプラント監視制御装置のグラフィック画面のウインドウ化機能を示す図である。
図３において、グラフィク画面選択範囲４は、マウスで選択した範囲である。マウスカーソル位置５でのマウスの右クリックにより表示されるメニューに「ウインドウ化」６がある。「ウインドウ化」６を選択することにより、ウインドウ７が表示される。
【００１６】
次に、グラフィック画面のウインドウ化機能（ウインドウを形成する手段）の処理について、図４のフローチャートに基づいて、図３を参照して説明する。
マウスでグラフィック画面上の監視対象設備、または設備の状態値を選択する（Ｓｔｅｐ１）。表示制御部２ａは、図３のグラフィク画面選択範囲４の座標値（ドラッグの開始点、終了点）を取得する（Ｓｔｅｐ２）。
表示制御部２ａは、取得した座標値からグラフィック画面選択範囲４内に設備または状態値が存在するかどうかを判断する（Ｓｔｅｐ３）。存在しない場合は処理を終了する。
存在する場合は、監視対象設備を選択した状態で、マウスの右クリックを押下し、「ウインドウ化」６を選択する（Ｓｔｅｐ４）。
【００１７】
表示制御部２ａは、選択した画面表示内容に状態値が含まれているかどうかを判断する（Ｓｔｅｐ５）。状態値が含まれていない場合、処理を終了する。状態値が含まれている場合はデータ処理部２ｂを介し、データ格納部２ｃからリアルタイムに状態値を取得し、ウインドウ７に値を表示する（Ｓｔｅｐ６）。
【００１８】
実施の形態１によれば、グラフィック画面上で選択した範囲内の監視対象設備及び状態値を、画面から切り離してウインドウ化することができる。
【００１９】
実施の形態２．
図５は、この発明の実施の形態２によるプラント監視制御装置のウインドウ化した画面を別画面に表示する機能の手順１を示す図である。
図５において、７は図３におけるものと同一のものである。マウスカーソル位置８でのマウスの右クリックにより表示されるメニューに「ウインドウの切取り」９がある。画面を選択するための画面一覧ボタン１０が表示されている。
【００２０】
図６は、この発明の実施の形態２によるプラント監視制御装置のウインドウ化した画面を別画面に表示する機能の手順２を示す図である。
図６において、マウスカーソル位置１１でのマウスの右クリックにより表示されるメニューに「ウインドウの表示」１２がある。「ウインドウの表示」１２を選択することにより、ウインドウ１３が表示される。
【００２１】
実施の形態１では、任意の監視設備、状態値を画面から切り離してウインドウ化する機能を述べた。実施の形態２は、ウインドウ化した画面を別画面に表示する機能についてのものである。
【００２２】
次に、ウインドウを別画面に表示する機能（第二の監視画面上に表示する手段）の処理について、図５、図６を参照し、図７のフローチャートに基づいて説明する。
図５のように、ウインドウ７を選択した状態で、マウスの右クリックを押下する（Ｓｔｅｐ１１）。表示制御部２ａは、マウスカーソル位置８の座標を取得する（Ｓｔｅｐ１２）。
表示制御部２ａは、マウスカーソル位置８の座標がウインドウ７内に含まれているかどうかを判断する（Ｓｔｅｐ１３）。含まれていない場合は処理を終了する。含まれている場合は「ウインドウの切取り」９を選択し、表示制御部２ａは、ウインドウ７を切取る（Ｓｔｅｐ１４）。
【００２３】
ユーザは画面一覧ボタン１０を押下し、任意の画面を選択する（Ｓｔｅｐ１５）。
データ処理部２ｂは、データ格納部２ｃからグラフィク画面情報を取得し、表示制御部２ａを介して、選択されたグラフィック画面を出力する（Ｓｔｅｐ１６）。
次に、図６のように、マウスカーソル位置１１で、マウスの右クリックを行い、「ウインドウの表示」１２を選択し、ウインドウ１３を、別画面の、選択されたグラフィック画面に表示する（Ｓｔｅｐ１７）。
【００２４】
実施の形態２によれば、実施の形態１でウインドウ化された画面を任意の画面に貼り付け、表示することができる。
これにより、同一画面上で監視対象画面と関連画面を監視することが可能となり、別画面を交互に監視するといったムダ作業がなくなることによる、プラント監視効率の向上を図ることができる。
また、これまでは設計段階で監視対象設備の画面を表示設定していたが、製品が出荷された後もユーザの判断で、グラフィク画面中の監視対象設備、状態値の表示を自由に別画面に表示するという、カスタマイズができるようになる。
【００２５】
実施の形態３．
図８は、この発明の実施の形態３によるプラント監視制御装置のウインドウタイトルの設定を示す図である。
図８において、ウインドウ１３は図６におけるものと同一のものである。マウスカーソル位置１４でマウスの右クリックにより表示されるメニューに「ウインドウタイトルの設定」１５がある。「ウインドウタイトルの設定」１５を選択することにより、ウインドウタイトル１６が設定される。
【００２６】
図１０は、この発明の実施の形態３によるプラント監視制御装置のウインドウの移動を示す図である。
図１０において、ウインドウ１３は図６におけるものと同一のものである。マウスカーソル位置１７から、ウインドウ１３をドラッグして移動する。
【００２７】
図１２は、この発明の実施の形態３によるプラント監視制御装置のウインドウサイズの変更を示す図である。
図１２において、ウインドウ１３は図６におけるものと同一のものである。マウスカーソル位置１８を移動させて、サイズを変更したウインドウ１９を得る。
【００２８】
図１４は、この発明の実施の形態３によるプラント監視制御装置のウインドウの位置固定を示す図である。
図１４において、ウインドウ１３は図６におけるものと同一のものである。マウスカーソル位置２０で、マウスの右クリックにより表示されるメニューに「ウインドウを固定」２１がある。「ウインドウを固定」２１を選択することにより、ウインドウ１３を固定する。
【００２９】
実施の形態１、２では、任意の監視設備、状態値を画面から切り離してウインドウ化し、別画面に表示するという機能について述べた。実施の形態３は、ウインドウのタイトル設定機能、ウインドウの移動機能、ウインドウサイズの変更機能、ウインドウの位置固定機能について説明する。
【００３０】
まず、ウインドウのタイトル設定機能（ウインドウにタイトルを付ける手段）の処理について、図８を参照し、図９のフローチャートに基づいて説明する。
ウインドウ１３を選択した状態で、図８のように、マウスの右クリックを押下する（Ｓｔｅｐ２１）。表示制御部２ａは、マウスカーソル位置１４の座標を取得する（Ｓｔｅｐ２２）。
表示制御部２ａは、マウスカーソル位置１４の座標がウインドウ１３内に含まれているかどうかを判断する（Ｓｔｅｐ２３）。含まれていない場合は処理を終了する。含まれている場合は「ウインドウタイトルの設定」１５を選択する（Ｓｔｅｐ２４）。
ユーザは、ウインドウのタイトルバーにキーボードからウインドウのタイトルを入力する（Ｓｔｅｐ２５）。表示制御部２ａは、入力されたタイトルを、画面上のウインドウタイトル１６の位置に反映する（Ｓｔｅｐ２６）。
表示制御部２ａは、ウインドウ１３外でマウスのクリックが押下されたと判断すると、ウインドウタイトルを決定する（Ｓｔｅｐ２７）。
【００３１】
次に、ウインドウの移動機能（ウインドウをマウスのドラッグにより移動させる手段）の処理について、図１０を参照し、図１１のフローチャートに基づいて説明する。
ウインドウ１３を選択した状態で、図１０のマウスカーソル位置１７でマウスの左クリックを押下する（Ｓｔｅｐ３１）。表示制御部２ａは、マウスカーソル位置１７の座標を取得する（Ｓｔｅｐ３２）。
表示制御部２ａは、マウスカーソル位置１７の座標がウインドウ１３内に含まれているかどうかを判断する（Ｓｔｅｐ３３）。含まれていない場合は処理を終了する。
含まれている場合、ウインドウ１３をドラッグする（Ｓｔｅｐ３４）。表示制御部２ａは、ドラッグしている間、ウインドウ１３の中心座標を取得し、その座標位置にウインドウ１３を表示する（Ｓｔｅｐ３５）。
【００３２】
次に、ウインドウサイズ変更機能（ウインドウのサイズを変更する手段）の処理について、図１２を参照し、図１３のフローチャートに基づいて説明する。
図１２のマウスカーソル位置１８で、マウスの左クリックを押下する（Ｓｔｅｐ４１）。表示制御部２ａは、マウスカーソル位置１８の座標を取得する（Ｓｔｅｐ４２）。左クリックを押下した位置がウインドウフレーム上の座標位置と一致するかどうかを判断する（Ｓｔｅｐ４３）。一致しない場合は処理を終了する。
一致する場合は、マウスカーソルを移動させて、ウインドウサイズを変更する（Ｓｔｅｐ４４）。表示制御部２ａは、マウスで指定されたサイズのウインドウ１９を画面上に表示する（Ｓｔｅｐ４５）。
【００３３】
次に、ウインドウの位置固定機能（ウインドウの表示位置を固定する手段）の処理について、図１４を参照し、図１５のフローチャートに基づいて説明する。
図１４のウインドウ１３を選択した状態で、マウスの右クリックを押下する（Ｓｔｅｐ５１）。表示制御部２ａは、マウスカーソル位置２０の座標を取得する（Ｓｔｅｐ５２）。
表示制御部２ａは、マウスカーソル位置２０の座標がウインドウ１３内に含まれているかどうかを判断する（Ｓｔｅｐ５３）。含まれていない場合は処理を終了する。
含まれている場合、「ウインドウ固定」２１を選択する（Ｓｔｅｐ５４）。表示制御部２ａは、ウインドウ１３を画面に固定する（Ｓｔｅｐ５５）。
なお、この機能によりウインドウ１３を固定すれば、マウス操作でウインドウを移動することができなくなる。
【００３４】
実施の形態３によれば、別画面に表示されたウインドウをより快適に使用することができる。
【００３５】
実施の形態４．
図１６は、この発明の実施の形態４によるプラント監視制御装置のウインドウの取得元画面への移動機能を示す図である。
図１６において、ウインドウ１３は図６におけるものと同一のものである。マウスカーソル位置２２で、マウスの右クリックにより表示されるメニューに「取得元の画面に移動」２３がある。「取得元の画面に移動」２３を選択することにより、ウインドウ１３の内容を取得したときの取得元の画面に移動する。
【００３６】
実施の形態４は、ウインドウ１３の内容を取得した取得元の画面に移動する機能についてのものである。
ウインドウ１３の内容を取得した取得元の画面に移動する機能（第二の監視画面から第一の監視画面にウインドウを移動する手段）の処理について、図１６を参照し、図１７のフローチャートに基づいて説明する。
図１６のウインドウ１３を選択した状態で、マウスの右クリックを押下する（Ｓｔｅｐ６１）。表示制御部２ａは、マウスカーソル位置２２の座標を取得する（Ｓｔｅｐ６２）。
表示制御部２ａは、マウスカーソル位置２２の座標が、ウインドウ１３内に含まれているかどうかを判断する（Ｓｔｅｐ６３）。含まれていない場合は処理を終了する。
含まれている場合、「取得元の画面に移動」２３を選択する（Ｓｔｅｐ６４）。データ処理部２ｂは、ウインドウ１３の内容を取得した元の画面データをデータ格納部２ｃから取得する（Ｓｔｅｐ６５）。表示制御部２ａは、データ処理部２ｂから元の画面データを取得して、表示する（Ｓｔｅｐ６６）。
【００３７】
実施の形態４によれば、これまでは、ウインドウ内容の取得元の画面に移動する場合、ユーザ自身が元の画面を記憶しておく必要があったが、この機能によりシステムがウインドウ内容の取得元の画面の呼出しを行うため、ユーザへの負担がなくなる。
【００３８】
実施の形態５．
図１８は、この発明の実施の形態５によるプラント監視制御装置のウインドウの薄消し機能の手順１を示す図である。
図１８において、ウインドウ１３は図６におけるものと同一のものである。マウスカーソル位置２４で、マウスの右クリックにより表示されるメニューに「ウインドウの表示方法」２５があり、それを選択すると、「ウインドウ薄消し」２６のメニューが表示される。「ウインドウ薄消し」２６を選択することにより、ウインドウ１３を薄消し状態にする（図１９の薄消しウインドウ２７参照）。
【００３９】
図１９は、この発明の実施の形態５によるプラント監視制御装置のウインドウの薄消し機能の手順２を示す図である。
図１９において、マウスの右クリックにより表示されるメニューに「ウインドウの表示方法」２５があり、それを選択すると、「ウインドウ薄消し解除」２８のメニューが表示される。「ウインドウ薄消し解除」２８を選択することにより、薄消しウインドウ２７を通常の状態にする。
【００４０】
実施の形態５は、ウインドウ１３を薄消しする機能についてのものである。
このウインドウ１３を薄消しする機能（ウインドウを薄消しにする手段）の処理について、図１８、図１９を参照し、図２０のフローチャートに基づいて説明する。
図１８のウインドウ１３を選択した状態で、マウスの右クリックを押下する（Ｓｔｅｐ７１）。表示制御部２ａは、マウスカーソル位置２４の座標を取得する（Ｓｔｅｐ７２）。
表示制御部２ａは、マウスカーソル位置２４の座標がウインドウ１３内に含まれているかどうかを判断する（Ｓｔｅｐ７３）。含まれていない場合は処理を終了する。
含まれている場合で、かつ、ウインドウ１３が薄消し表示になっていないかどうか判断し（Ｓｔｅｐ７４）、薄消し表示になっていない場合、「ウインドウの表示方法」２５を選択し、さらに、「ウインドウ薄消し」２６を選択する（Ｓｔｅｐ７５）。表示制御部２ａは、ウインドウ１３を薄消し表示とし、図１９に示すような、薄消しウインドウ２７とする（Ｓｔｅｐ７６）。
【００４１】
また、Ｓｔｅｐ７４で、薄消しウインドウ２７になっている場合、図１９の薄消しウインドウ２７を選択した状態で、マウスの右クリックを押下する。これにより、Ｓｔｅｐ７１〜Ｓｔｅｐ７３と同様の内部処理が行われる。次に、「ウインドウの表示方法」２５を選択し、さらに「ウインドウ薄消し解除」２８を選択する（Ｓｔｅｐ７７）。表示制御部２ａは、ウインドウの薄消しを解除し、元のウインドウ１３を表示する（Ｓｔｅｐ７８）。
【００４２】
実施の形態５によれば、ウインドウを薄消し表示の状態とし、また元の表示状態に戻すことが可能になる。
【００４３】
実施の形態６．
図２１は、この発明の実施の形態６によるプラント監視制御装置のウインドウタイトルのみ表示する機能の手順１を示す図である。
図２１において、ウインドウ１３は図６におけるものと同一のものである。マウスカーソル位置２４で、マウスの右クリックにより表示されるメニューに「ウインドウの表示方法」２５があり、それを選択すると、「タイトルのみ表示」２９のメニューが表示される。「タイトルのみ表示」２９を選択することにより、ウインドウ１３はタイトルのみ表示される（図２２のウインドウタイトル３０参照）。
【００４４】
図２２は、この発明の実施の形態６によるプラント監視制御装置のウインドウタイトルのみ表示する機能の手順２を示す図である。
図２２において、マウスカーソル位置２４で、マウスの右クリックにより表示されるメニューに「ウインドウの表示方法」２５があり、それを選択すると、「タイトルのみ表示解除」３１のメニューが表示される。「タイトルのみ表示解除」３１を選択することにより、ウインドウタイトル３０の表示は解除されて、元のウインドウ１３が表示される。
【００４５】
実施の形態６は、ウインドウのタイトルのみを表示する機能についてのものである。
このウインドウのタイトルのみ表示する機能（ウインドウをタイトルのみの表示とする手段）の処理について、図２１、図２２を参照し、図２３のフローチャートに基づいて説明する。
図２１のウインドウ１３を選択した状態で、マウスの右クリックを押下する（Ｓｔｅｐ８１）。表示制御部２ａは、マウスカーソル位置２４の座標を取得する（Ｓｔｅｐ８２）。
表示制御部２ａは、マウスカーソル位置２４の座標がウインドウ１３内に含まれているかどうかを判断する（Ｓｔｅｐ８３）。含まれていない場合は処理を終了する。
含まれている場合は、ウインドウがタイトルのみの表示になっているかどうかを判断し（Ｓｔｅｐ８４）、ウインドウ１３がタイトルのみの表示になっていない場合、「ウインドウの表示方法」２５を選択し、さらに「タイトルのみ表示」２９を選択する（Ｓｔｅｐ８５）。表示制御部２ａは、図２２に示すウインドウタイトル３０のみを表示する（Ｓｔｅｐ８６）。
【００４６】
Ｓｔｅｐ８４で、ウインドウ１３がタイトルのみの表示になっている場合、図２２のウインドウタイトル３０を選択した状態で、マウスの右クリックを押下する。Ｓｔｅｐ８１〜Ｓｔｅｐ８３と同様の内部処理を行う。次いで、「ウインドウの表示方法」２５を選択し、さらに、「タイトルのみ表示解除」３１を選択する（Ｓｔｅｐ８７）。表示制御部２ａは、ウインドウタイトルのみの表示を解除し、元のウインドウ１３を表示する（Ｓｔｅｐ８８）。
【００４７】
実施の形態６によれば、ウインドウをタイトルのみの表示状態とし、また元のウインドウの表示状態に戻すことが可能になる。
【００４８】
実施の形態７．
図２４は、この発明の実施の形態７によるプラント監視制御装置のウインドウ表示非表示ボタンの設置機能の手順１を示す図である。
図２４において、ウインドウ１３は図６におけるものと同一のものである。マウスカーソル位置２４で、マウスの右クリックにより表示されるメニューに「ウインドウの表示方法」２５があり、それを選択すると、「ボタン表示」３２のメニューが表示される。「ボタン表示」３２を選択することにより、ボタン３３が表示される。（図２５のボタン３３参照）。
【００４９】
図２５は、この発明の実施の形態７によるプラント監視制御装置のウインドウ表示非表示ボタンの設置機能の手順２を示す図である。
図２５において、ボタン３２は、ウインドウ１３の表示と非表示を切り替える。ウインドウ１３が非表示になっている場合、マウスカーソルをボタン３２上に合わせると、ウインドウタイトル３０が、吹き出しで表示される。
【００５０】
実施の形態７は、ウインドウの表示、非表示を行うボタン機能についてのものである。
このウインドウの表示、非表示を行う機能（ウインドウの表示または非表示を切替えるためのボタンを表示させる手段）の処理について、図２４、図２５を参照し、図２６のフローチャートに基づいて説明する。
図２４のウインドウ１３を選択した状態で、マウスの右クリックを押下する（Ｓｔｅｐ９１）。表示制御部２ａは、マウスカーソル位置２４の座標を取得する（Ｓｔｅｐ９２）。
表示制御部２ａは、マウスカーソル位置２４の座標がウインドウ１３内に含まれているかどうかを判断する（Ｓｔｅｐ９３）。含まれていない場合は処理を終了する。
含まれている場合、「ウインドウの表示方法」２５を選択し、さらに「ボタン表示」３２を選択する（Ｓｔｅｐ９４）。表示制御部２ａは、ウインドウ１３を非表示にし、図２５に示す、ウインドウ１３の表示、非表示を行うボタン３３を表示する処理を行う（Ｓｔｅｐ９５）。
【００５１】
ボタン３３を押下する（Ｓｔｅｐ９６）。表示制御部２ａは、ウインドウが表示されているかどうかを判断する（Ｓｔｅｐ９７）。表示されている場合、表示制御部２ａはウインドウ１３を非表示にし（Ｓｔｅｐ９８）、ウインドウ１３が非表示になっている場合、表示制御部２ａはウインドウ１３を表示する（Ｓｔｅｐ９９）。
なお、ウインドウ１３が非表示になっている場合、マウスカーソルをボタン３２上に合わせると、ウインドウタイトル３０が吹き出しで表示される。
【００５２】
実施の形態７によれば、ウインドウの表示と非表示を切り替えるボタンを表示するようにしたので、ウインドウの表示と非表示を簡単に切り替えることができる。
【００５３】
これまでは、複数のウインドウを画面に表示した状態で、必要なウインドウだけ監視する場合でも、不必要なウインドウは表示した状態のままであったが、実施の形態５〜実施の形態７により、監視に不必要なウインドウは薄消し、必要なウインドウのみの表示、あるいはボタンによる表示または非表示を行うことで、必要なウインドウと不必要なウインドウを視覚的に区別しやすくなる。
これにより、ウインドウの見間違といったミスを軽減することができる。
【００５４】
実施の形態８．
図２７は、この発明の実施の形態８によるプラント監視制御装置のウインドウの削除機能を示す図である。
図２７において、ウインドウ１３は図６におけるものと同一のものである。マウスカーソル位置３４で、マウスの右クリックにより表示されるメニューに「ウインドウの削除」３５があり、それを選択すると、ウインドウ１３が削除される。
【００５５】
実施の形態８ではウインドウの削除機能についてのものである。
このウインドウを削除する機能（ウインドウを削除する手段）の処理について、図２７を参照し、図２８のフローチャートに基づいて説明する。
図２７のウインドウ１３を選択した状態で、マウスの右クリックを押下する（Ｓｔｅｐ１０１）。表示制御部２ａは、マウスカーソル位置３４の座標を取得する（Ｓｔｅｐ１０２）。
表示制御部２ａは、マウスカーソル位置３４の座標がウインドウ１３内に含まれているかどうかを判断する（Ｓｔｅｐ１０３）。含まれていない場合は処理を終了する。
含まれている場合、「ウインドウの削除」３５を選択する（Ｓｔｅｐ１０４）。表示制御部２ａは、Ｓｔｅｐ１０１で選択されたウインドウ１３を画面上から削除する（Ｓｔｅｐ１０５）。
【００５６】
実施の形態８によれば、ウインドウを削除することができるので、実施の形態１、２で別画面に表示したウインドウをより快適に使用することができる。
【００５７】
実施の形態９．
図２９は、この発明の実施の形態９によるプラント監視制御装置のウインドウ位置情報の登録と呼出し機能を示す図である。
図２９において、ウインドウ１３は図６におけるものと同一のものである。マウスカーソル位置３６で、マウスの右クリックにより表示されるメニューに「ウインドウの登録」３７があり、それを選択すると、ウインドウ１３が登録される。
「登録ウインドウ」ボタン３８を押下すれば、登録ウインドウ一覧３９が表示され、その内の一つのウインドウタイトルを選択すれば、選択されたウインドウが表示される。
【００５８】
実施の形態８のウインドウの削除機能を使って、他画面の全ウインドウを削除し、再び画面をウインドウ化するという場合の手間を省くために、実施の形態９は、任意のウインドウを登録、呼出しする機能を設けたものである。
このウインドウを登録、呼出しする機能（ウインドウを登録すると共に、登録したウインドウを呼び出す手段）の処理について、図２９を参照し、図３０のフローチャートに基づいて説明する。
図２９のウインドウ１３を選択した状態で、マウスの右クリックを押下する（Ｓｔｅｐ１１１）。表示制御部２ａは、マウスカーソル位置３６の座標を取得する（Ｓｔｅｐ１１２）。
表示制御部２ａは、マウスカーソル位置３６の座標がウインドウ１３内に含まれているかどうかを判断する（Ｓｔｅｐ１１３）。含まれていない場合は処理を終了する。
含まれている場合、「ウインドウの登録」３７を選択する（Ｓｔｅｐ１１４）。データ格納部２ｃは、データ処理部２ｂを介し、登録対象のウインドウ１３の中心座標を格納する（Ｓｔｅｐ１１５）。実施の形態８の操作を行い、ウインドウ１３を削除する（Ｓｔｅｐ１１６）。
【００５９】
登録されたウインドウを表示する場合には、「登録ウインドウ」ボタン３８を押下する（Ｓｔｅｐ１１７）。登録ウインドウ一覧３９から、登録したウインドウタイトル４０を選択する（Ｓｔｅｐ１１８）。
データ処理部２ｂは、ウインドウタイトル４０が選択されたウインドウのデータをデータ格納部２ｃから取得し、表示制御部２ａに渡す（Ｓｔｅｐ１１９）。表示制御部２ａは、取得したウインドウデータを登録された画面上の位置に出力する（Ｓｔｅｐ１２０）。
【００６０】
実施の形態９によれば、任意のウインドウを登録及び呼出しすることができる。
これまでは、ウインドウを削除した場合、再びウインドウ化を行わなければならなかったが、ウインドウの登録機能により、一度削除したウインドウも簡単に呼び出すことができるようになり、ユーザへの負担も軽減される。
【００６１】
実施の形態１０．
実施の形態１０は、実施の形態９の操作を行い、登録したウインドウを他のプラント監視端末（他のプラント監視制御装置）で呼び出す機能についてのものである。
この他のプラント監視端末でも登録したウインドウを呼び出す機能（登録されたウインドウを他のプラント監視制御装置で呼び出す手段）について説明する。
他のプラント監視端末のデータ格納部２ｃにウインドウデータを移した後、実施の形態９と同様の操作を行うことによって、他のプラント監視端末でも登録したウインドウを呼び出すようにしている。
【００６２】
実施の形態１０によれば、他のプラント監視端末でも、実施の形態９により登録したウインドウを呼び出すことができる。
【００６３】
実施の形態１１．
図３１は、この発明の実施の形態１１によるプラント監視制御装置のスクロール操作と共にウインドウを移動させる機能の手順１を示す図である。
図３１において、ウインドウ１３は図６におけるものと同一のものである。マウスカーソル位置４１で、マウスの右クリックにより表示されるメニューに「スクロールと共にウインドウ移動」４２があり、それを選択して、スクロールバー４３を右側にドラッグする。
【００６４】
図３２は、この発明の実施の形態１１によるプラント監視制御装置のスクロール操作と共にウインドウを移動させる機能の手順２を示す図である。
図３２において、ウインドウ１３は図６におけるものと同一のものである。「スクロールと共にウインドウ移動」４２を選択し、スクロールバー４３を右側にドラッグすると、スクロールバー４３の移動量４４だけウインドウ１３が移動する。
【００６５】
実施の形態１１は、スクロールバーが存在する画面に対し、スクロール操作を実施する際に、ウインドウもスクロールに併せて移動する機能についてのものである。
このウインドウをスクロール操作と共に移動させる機能（ウインドウをスクロールと共に移動させる手段）の処理について、図３１、図３２を参照し、図３３のフローチャートに基づいて説明する。
図３１のウインドウ１３を選択した状態で、マウスの右クリックを押下する（Ｓｔｅｐ１２１）。表示制御部２ａは、マウスカーソル位置４１の座標を取得する（Ｓｔｅｐ１２２）。
表示制御部２ａは、マウスカーソル位置４１の座標がウインドウ１３内に含まれているかどうかを判断する（Ｓｔｅｐ１２３）。含まれていない場合は処理を終了する。
【００６６】
含まれている場合、「スクロールと共にウインドウを移動」４２を選択する（Ｓｔｅｐ１２４）。表示制御部２ａは、ウインドウ１３の座標値とスクロールバー４３の座標値を取得する（Ｓｔｅｐ１２５）。スクロールバー４３を右側にドラッグする（Ｓｔｅｐ１２６）。表示制御部２ａは、スクロールバー４３の移動量４４に併せてウインドウ１３の座標位置を変更する（Ｓｔｅｐ１２７）。表示制御部２ａは、取得した座標位置にウインドウ１３を表示する（Ｓｔｅｐ１２８）。
【００６７】
実施の形態１１によれば、スクロールバーの移動に合わせてウインドウを移動することができる。
【００６８】
実施の形態１２．
図３４は、この発明の実施の形態１２によるプラント監視制御装置のスクロール操作と共にウインドウを移動させない機能の手順１を示す図である。
図３４において、ウインドウ１３は図６におけるものと同一のものである。スクロールバー４３を右側にドラッグする。
【００６９】
図３５は、この発明の実施の形態１２によるプラント監視制御装置のスクロール操作と共にウインドウを移動させない機能の手順２を示す図である。
図３５において、ウインドウ１３は図６におけるものと同一のものである。スクロールバー４３を右側に移動量４４だけドラッグしても、ウインドウ１３は移動しない。
【００７０】
実施の形態１２は、スクロールバーが存在する画面に対し、スクロール操作を実施した際に、ウインドウもスクロールに合わせて移動しない機能についてのものである。
このウインドウをスクロール操作と共に移動させない機能（ウインドウをスクロール操作と共に移動させないようにする手段）の処理について、図３４、図３５を参照し、図３６のフローチャートに基づいて説明する。
図３３のＳｔｅｐ１２４が設定されていないかどうかを判断し（Ｓｔｅｐ１３１）、設定されている場合は、実施の形態１１のスクロール操作と共に移動させる処理に移る。
設定されていない場合、表示制御部２ａは、ウインドウ１３の座標値とスクロールバー４３の座標値を取得する（Ｓｔｅｐ１３２）。スクロールバー４３を右側にドラッグする（Ｓｔｅｐ１３３）。表示制御部２ａは、スクロールバー４３の移動量４４に対して、ウインドウ１３の座標位置を変更させない（Ｓｔｅｐ１３４）。表示制御部２ａは、取得した座標位置にウインドウ１３を表示する（Ｓｔｅｐ１３５）。
【００７１】
実施の形態１２によれば、スクロールバーをドラッグしてもウインドウを移動させないようにすることができる。
【００７２】
これまではスクロールバー操作により、ウインドウを移動するか否かをユーザ側が決定することができなかったが、実施の形態１１、１２により、ウインドウの移動をユーザ側が決定することができるようになり、ユーザ側の設定自由度が向上する。
【００７３】
なお、本発明は、その発明の範囲内において、各実施の形態を自由に組み合わせたり、各実施の形態を適宜、変形、省略することが可能である。
【符号の説明】
【００７４】
１  画面
２  プラント監視制御装置
３  プラント制御バス
４  グラフィック画面選択範囲
７  ウインドウ
１０  画面一覧ボタン
１３  ウインドウ
２７  薄消しウインドウ
３０  ウインドウタイトル
３８  登録ウインドウボタン
３９  登録ウインドウ一覧
４３  スクロールバー
４４  スクロールバーの移動量
１００  プラント情報処理装置
【図１】
0005762257.tif 000002
【図２】
0005762257.tif 000003
【図３】
0005762257.tif 000004
【図４】
0005762257.tif 000005
【図５】
0005762257.tif 000006
【図６】
0005762257.tif 000007
【図７】
0005762257.tif 000008
【図８】
0005762257.tif 000009
【図９】
0005762257.tif 000010
【図１０】
0005762257.tif 000011
【図１１】
0005762257.tif 000012
【図１２】
0005762257.tif 000013
【図１３】
0005762257.tif 000014
【図１４】
0005762257.tif 000015
【図１５】
0005762257.tif 000016
【図１６】
0005762257.tif 000017
【図１７】
0005762257.tif 000018
【図１８】
0005762257.tif 000019
【図２０】
0005762257.tif 000020
【図２１】
0005762257.tif 000021
【図２２】
0005762257.tif 000022
【図２３】
0005762257.tif 000023
【図２４】
0005762257.tif 000024
【図２５】
0005762257.tif 000025
【図２６】
0005762257.tif 000026
【図２７】
0005762257.tif 000027
【図２８】
0005762257.tif 000028
【図２９】
0005762257.tif 000029
【図３０】
0005762257.tif 000030
【図３１】
0005762257.tif 000031
【図３２】
0005762257.tif 000032
【図３３】
0005762257.tif 000033
【図３４】
0005762257.tif 000034
【図３５】
0005762257.tif 000035
【図３６】
0005762257.tif 000036
【図１９】
0005762257.tif 000037